(57)【要約】【課題】汎用タイルを敷き詰めた場合であっても、がたつきが生じたり、隣り合うタイル同士間に段差が生じたりすることを抑制することが可能な洗い場床パンを提供すること。【解決手段】この洗い場床パン１０は調整層ＭＬを有しており、その調整層ＭＬはベース床パンＢＰにおける二本の谷状稜線２０，２１を跨ぐように設けられ、その調整層ＭＬの表面には、二本の谷状稜線２０，２１をそれぞれが跨いで開口部１１ｐに向かって傾斜する第一傾斜面１３ｐと第二傾斜面１４ｐとが形成されると共に、第一傾斜面１３ｐと第二傾斜面１４ｐとが互いに接することによって開口部１１ｐに向かう一本の谷状稜線１５ｐが形成される。【選択図】図２
2011094369.tif 000002
【特許請求の範囲】
【請求項１】
浴室ユニットの洗い場床を構成する洗い場床パンであって、
平面視略矩形を成すベース床パンと、
このベース床パン上に積層され、前記ベース床パン上面の勾配面を異なる勾配面に変換するための調整層と、
この調整層上に敷き詰められた複数の平面視略矩形を成すタイルと、を有し、
前記ベース床パンの上面は、外周を構成する四辺のうちの一辺中程に排水口が設けられ、この排水口が設けられている一辺以外の三辺それぞれの両端と前記排水口とを頂点として形成される平面視略三角形を成す複数の傾斜面が、それぞれ勾配方向が異なるように組み合わされてなり、
前記調整層の上面は、前記排水口に向かって傾斜する平面視略矩形を成す傾斜面が、それぞれ勾配方向が異なるように組み合わされてなると共に、この勾配方向の異なる傾斜面を結ぶ谷状稜線は、前記ベース床パンの外周を構成する四辺に対して、平面視でそれぞれ直角または平行になるように配置されていることを特徴とする洗い場床パン。
【請求項２】
前記調整層の上面に形成される谷状稜線は、前記排水口と対向する辺の中程から略垂直に延出し、前記排水口に向うように形成されており、
前記谷状稜線によって区切られる第一傾斜面および第二傾斜面の二面から調整層の上面が形成されていることを特徴とする請求項１記載の洗い場床パン。
【請求項３】
前記調整層は、その少なくとも一部が、互いに形状の異なる複数の平面状部材を重ね合わせることで形成されていることを特徴とする請求項１又は２に記載の洗い場床パン。
【請求項４】
前記複数の平面状部材は、前記ベース床パン側に配置される平面状部材よりも、その上に重ねあわされる平面状部材の少なくとも一部が外側に配置されるように形成されていることを特徴とする請求項３に記載の洗い場床パン。
【請求項５】
前記平面状部材は、易切断性を有することを特徴とする請求項３又は４に記載の洗い場床パン。
【請求項６】
前記複数の平面状部材の少なくとも一つは、繊維状材料に樹脂材料を含浸硬化させることによって形成されていることを特徴とする請求項３〜５のいずれか１項に記載の洗い場床パン。
【請求項７】
前記複数の平面状部材の最上に積層され、前記調整層の表面を形成する平面状部材は、前記洗い場床に相当する領域と同一形状を成すように形成されていることを特徴とする請求項３〜６のいずれか１項に記載の洗い場床パン。
【発明の詳細な説明】
【技術分野】
【０００１】
本発明は、浴室ユニットの洗い場床を構成する洗い場床パンに関する。
【背景技術】
【０００２】
従来、出入口に段差のないバリアフリータイプの浴室ユニットでは、水勾配の方向が異なる複数の傾斜面を有する洗い場床パンが用いられている。洗い場床パンは、樹脂製の洗い場床パンをそのまま用いる場合もあれば、高級品では樹脂製の洗い場床パンの表面にタイルを貼着して用いる場合もある。近年の浴室ユニット市場の需要に鑑みれば、出入り口に段差のないバリアフリータイプの浴室ユニットが主流を占めることから、上述したような洗い場床パンが広く用いられている。従って、コスト上の要因を考慮して、上述したような洗い場床パンをベースとして、その表面にタイルを貼着して用いることが求められる。
【０００３】
ところで、このように複数の傾斜面を有する洗い場床パンは、傾斜面同士の境界部分に谷状の稜線が存在するため、この洗い場床パンの上にタイルが貼着される洗い場床パンでは、当該谷状稜線に跨って貼着されたタイルは、複数種の傾斜面上に位置することになり、がたつきが生じたり、隣り合うタイル同士間に段差が生じたりすることが知られている。そこで、タイルのがたつきや、タイル同士間に生じる段差を無くすため、洗い場床パンにタイルを貼着する際に使用する接着剤の塗布量を調整することが考えられるが、これは作業者の技能に依存する面が多く、実際には、安定した品質の洗い場床を提供することが困難である。
【０００４】
そこで、タイルのがたつきや、タイル同士間に生じる段差を無くすための一つの手法として、谷状稜線上に貼着されるタイルの裏面を、当該谷状稜線の形状に対応する形状にすることで、当該谷状稜線に跨って貼着されるタイルのがたつきを抑制する洗い場床パンが紹介されている（例えば、特許文献１参照）。
【先行技術文献】
【特許文献】
【０００５】
【特許文献１】特開２００５−１１３５９１号公報
【発明の概要】
【発明が解決しようとする課題】
【０００６】
しかしながら、特許文献１に記載されている洗い場床パンは、裏面を谷状稜線に対応した形状に加工した特殊形状のタイルを使用する必要があり、一般的に使用されている汎用の矩形タイルを使用することができない。タイルは、汎用のタイルであっても、ある程度高価であるため、特許文献１に記載されている洗い場床パンのように特殊形状のタイルを使用すると、コストが大幅に増加することが懸念される。
【０００７】
また、出入口に段差のないバリアフリータイプの浴室ユニットに用いられる洗い場床パンと、汎用タイルの貼り付けを考慮した勾配のタイル貼着専用の床パンとを別々に品揃えすることも考えられるが、生産設備の関係や在庫の関係などでコストアップ要因となるためできれば避けたいものである。
【０００８】
本発明は、このような事情に鑑みなされたものであり、出入口に段差のないバリアフリータイプの浴室ユニットに好適に用いられ、水勾配の方向が異なる複数の傾斜面を有する洗い場床パンをベースとして用いつつ、汎用タイルを敷き詰めた場合であっても、がたつきが生じたり、隣り合うタイル同士間に段差が生じたりすることを抑制することが可能な洗い場床パンを提供することを目的とする。
【課題を解決するための手段】
【０００９】
本発明者らは、上記課題を解決するため、洗い場床パンと汎用タイルとについて様々な側面から検討を行った。上記課題を解決するためのアプローチは種々あるけれども、本発明者らは、洗い場床パンの形状と汎用タイルの形状とに着目し、上述したような課題の発生原因を探求した。具体的には、洗い場床パンは一般的に平面視略矩形状を成しており、バリアフリータイプの浴室ユニットに好適に用いられるものは、排水口が配置される開口部近傍の辺以外の三辺は出入り口が配置される可能性があるため、それら三辺は段差が無いように同じ高さに形成される。また、排水口は出入り口近傍には配置したくないため、開口部はそれが配置される辺の中程に形成される。従って、排水口が配置される開口部近傍の辺以外の三辺から開口部に向かう傾斜面はそれぞれ水勾配の異なる三つの傾斜面を形成する。結果として、この三つの傾斜面が互いに接することで形成される二本の谷状稜線は、洗い場床パンを三つの三角形の領域に区切ることになる。一方、汎用タイルは、長方形や正方形の矩形状を成していることから、三角形の領域に敷き詰めていけば、三角形の隙間が開いてしまうか谷状稜線に矩形タイルが乗り上げてしまうことになる。そこで本発明者らは、この三角形の領域を別の形状の領域に変換することで、矩形タイルを敷き詰めても三角形の隙間が開いたりすることもなく、谷状稜線に矩形タイルが乗り上げてしまうこともないようにし、上述した課題を解決して本発明を成し得たものである。
【００１０】
このような過程を経て想到された本発明に係る洗い場床パンは、浴室ユニットの洗い場床を構成する洗い場床パンであって、平面視略矩形を成すベース床パンと、このベース床パン上に積層され、前記ベース床パン上面の勾配面を異なる勾配面に変換するための調整層と、この調整層上に敷き詰められた複数の平面視略矩形を成すタイルと、を有し、前記ベース床パンの上面は、外周を構成する四辺のうちの一辺中程に排水口が設けられ、この排水口が設けられている一辺以外の三辺それぞれの両端と前記排水口とを頂点として形成される平面視略三角形を成す複数の傾斜面が、それぞれ勾配方向が異なるように組み合わされてなり、前記調整層の上面は、前記排水口に向かって傾斜する平面視略矩形を成す傾斜面が、それぞれ勾配方向が異なるように組み合わされてなると共に、この勾配方向の異なる傾斜面を結ぶ谷状稜線は、前記ベース床パンの外周を構成する四辺に対して、平面視でそれぞれ直角または平行になるように配置されていることを特徴とする。
【００１１】
本発明によれば、上面の外周を構成する四辺のうちの一辺中程に排水口が設けられ、この排水口が設けられている一辺以外の三辺それぞれの両端と排水口とを頂点として形成される平面視略三角形を成す複数の傾斜面が、それぞれ勾配方向が異なるように組み合わされて上面を形成してなるベース床パンを用いているので、平面視略矩形のタイルを敷き詰めると隙間や段差ができたり、がたつきが生じたりするベース床パンを利用し、そのような事象が発生しないように平面視略矩形のタイルを敷き詰めることができる。従って、洗い場床パンを構成するベース床パンとして、例えば、開口部が設けられている一辺以外の三辺それぞれから開口部に向かって傾斜する傾斜面が形成されると共に、この三面の傾斜面が互いに接することで二本の谷状稜線が形成されるものであって、バリアフリータイプの浴室ユニットに好適に用いられるものをベース床パンとして活用することができる。また、本発明の趣旨に鑑みれば、このようないわゆる三面勾配のものに限られず、例えば、開口部が設けられている一辺以外の三辺それぞれと、開口部が設けられている一辺の開口部を挟んだ両側から開口部に向って傾斜する傾斜面が形成されていると共に、この五面の傾斜面が互いに接することで四本の谷状稜線が形成されるものも好適にベース床パンとして活用することができる。また、ベース床パン上に設けられる調整層の上面は、排水口に向かって傾斜する平面視略矩形を成す傾斜面が、それぞれ勾配方向が異なるように組み合わされてなるので、平面視略矩形のタイルを敷き詰めても隙間やがたつきが生じないように構成することができる。
【００１２】
尚、本発明におけるベース床パン及び洗い場床パンには排水口が設けられており、傾斜面との繋ぎの関係上、排水口が矩形の凹部に設けられていることが多いものである。従って、本発明における平面視略三角形とは、その頂点の部分が凹部に掛かり、結果として台形状になるものも含む概念である。また、平面視略矩形のタイルは、正方形及び長方形を含むものであるから、そのような形状を敷き詰めることができる傾斜面の形状は、それらタイルの相似形はもとより、それらタイルによって略隙間なく分割可能な形状であれば足りるので、傾斜面の平面視略矩形とはこのような形状を含む概念である。また、調整層の上面にタイルを貼着する際には接着剤等を用いることから、傾斜面それぞれが厳密な平面である必要はなく、実用上不具合となるような隙間や段差やがたつきが生じなければ、ある程度の湾曲や微小な段差は許容されるものである。
【００１３】
また本発明に係る洗い場床パンでは、前記調整層の上面に形成される谷状稜線は、前記排水口と対向する辺の中程から略垂直に延出し、前記排水口に向うように形成されており、前記谷状稜線によって区切られる第一傾斜面および第二傾斜面の二面から調整層の上面が形成されていることも好ましい。
【００１４】
この好ましい態様では、排水口と対向する辺の中程から略垂直に延出する谷状稜線によって区切られる第一傾斜面および第二傾斜面の二面から調整層の上面が形成されているので、各傾斜面を矩形若しくは矩形の組み合わせ形状に区切ることができる。従って、調整層の表面に矩形のタイルを敷き詰めたとしても、三角形の隙間を生じさせたり谷状稜線へタイルが乗り上げたりといった事態が回避でき、タイルのがたつきが生じたり、隣り合うタイル同士間に段差が生じたりすることを抑制することができる。
【００１５】
また本発明に係る洗い場床パンでは、前記調整層が、その少なくとも一部が、互いに形状の異なる複数の平面状部材を重ね合わせることで形成されていることも好ましい。
【００１６】
この好ましい態様では、調整層の少なくとも一部を、互いに形状の異なる複数の平面状部材を重ね合わせることで形成するので、ベース床パンの谷状稜線の形態に応じた適切な形状の平面状部材を準備して重ね合わせることができ、簡便に調整層を形成することができる。
【００１７】
また本発明に係る洗い場床パンでは、前記複数の平面状部材が、前記ベース床パン側に配置される平面状部材よりも、その上に重ねあわされる平面状部材の少なくとも一部が外側に配置されるように形成されていることも好ましい。
【００１８】
この好ましい態様では、ベース床パン側に配置される平面状部材よりも、その上に重ねあわされる平面状部材の少なくとも一部が外側に配置されるように形成されているので、ベース床パン側に配置される平面状部材周縁に生じる段差を、その上に重ね合わされる平面状部材によって覆うことができ、各平面状部材ごとにその段差を緩和しながら積層することができる。
【００１９】
また本発明に係る洗い場床パンでは、前記平面状部材は、易切断性を有することも好ましい。
【００２０】
この好ましい態様では、平面状部材が易切断性を有しているので、様々な形状に容易に切断することができ、様々な形態のベース床パンに簡便に対応することができる。
【００２１】
また本発明に係る洗い場床パンでは、前記複数の平面状部材の少なくとも一つは、繊維状材料に樹脂材料を含浸硬化させることによって形成されていることも好ましい。
【００２２】
この好ましい態様では、複数の平面状部材の少なくとも一つは、繊維状材料に樹脂材料を含浸硬化させることによって形成されているので、高価な接着剤を用いずに、樹脂材料によって繊維状材料を硬化させることで調整層を形成することができる。
【００２３】
また本発明に係る洗い場床パンでは、前記複数の平面状部材の最上に積層され、前記調整層の表面を形成する平面状部材は、前記洗い場床に相当する領域と同一形状を成すように形成されていることも好ましい。
【００２４】
この好ましい態様では、複数の平面状部材の最上に積層され、調整層の表面を形成する平面状部材を、洗い場床に相当する領域と同一形状を成すように形成することで、タイルを貼着する領域を平面状部材で覆うことができる。従って、その最上に配置される平面状部材よりも下に配置される平面状部材の形状がいかなるものであっても、それを覆うことができ、調整層の表面をより平坦に近づけることが可能となる。
【発明の効果】
【００２５】
本発明によれば、水勾配の方向が異なる複数の傾斜面を有する洗い場床パンをベースとして用いつつ、汎用タイルを敷き詰めた場合であっても、がたつきが生じたり、隣り合うタイル同士間に段差が生じたりすることを抑制することが可能な洗い場床パンを提供することができる。
【図面の簡単な説明】
【００２６】
【図１】本発明の実施形態である洗い場床パンを用いた浴室ユニットの主要部部分を示す平面図である。
【図２】本発明の実施形態である洗い場床パンを示す斜視図である。
【図３】本発明の実施形態である洗い場床パンに用いられるベース床パンを示す斜視図である。
【図４】図３に示すベース床パンの水勾配を示す平面図である。
【図５】図３及び図４に示すベース床パンに平面状部材を積層した状態を示す平面図である。
【図６】図３及び図４に示すベース床パンに平面状部材を積層した状態を示す平面図である。
【図７】樹脂を注ぎ込むことによって図２に示す洗い場床パンを製造する方法を説明するための図である。
【発明を実施するための形態】
【００２７】
以下、添付図面を参照しながら本発明の実施の形態について説明する。説明の理解を容易にするため、各図面において同一の構成要素に対しては可能な限り同一の符号を付して、重複する説明は省略する。
【００２８】
本発明の実施形態に係る洗い場床パンについて図１を参照しながら説明する。図１は、本発明の実施形態に係る洗い場床パンを用いた浴室ユニットの主要部分を示す平面図である。尚、本実施形態の説明に用いる各図では、説明を判り易くするため、各部材の厚さやサイズ、拡大・縮小率等は、実際のものと一致させて記載している場合もあれば、一致させずに記載している場合もある。図１に示す浴室ユニットＵＢは、洗い場床１と浴槽２とを備えている。
【００２９】
洗い場床１は主に、洗い場床パン１０と、洗い場床パン１０の一辺中程に形成されている排水口１１とによって構成されている。洗い場床パン１０は、平面視略矩形をなしている。洗い場床パン１０は、洗い場床１に相当する領域において、浴槽２側となる浴槽側縁１０Ａと、浴槽側縁１０Ａと平行に対向する出入口側縁１０Ｂと、浴槽側縁１０Ａの一端と出入口側縁１０Ｂの一端とを繋ぐ一端側縁１０Ｃと、浴槽側縁１０Ａの他端と出入口側縁１０Ｂの他端とを繋ぐと共に、一端側縁１０Ｃと平行に対向する他端側縁１０Ｄによって、略長方形状に形成されている。洗い場床１に相当する領域の一辺を構成する浴槽側縁１０Ａの中程であって略中央近傍に、排水口１１が設けられている。
【００３０】
洗い場床パン１０は、床パン部材１０ｐの上面に接着剤層（図に明示しない）を介して複数のタイル４０，４１が貼着されることで構成されている。洗い場床パン１０は、第一傾斜面１３と第二傾斜面１４とを有している。第一傾斜面１３と第二傾斜面１４とが互いに接する部分には谷線となる谷状稜線１５が形成されている。谷状稜線１５は、出入口側縁１０Ｂの略中央から出入口側縁１０Ｂに対して略垂直に延出し、排水口１１に向うように形成されている。第一傾斜面１３は、一端側縁１０Ｃから谷状稜線１５に対して傾斜しており、最も低い部分が排水口１１に臨むように構成されている。第二傾斜面１４は、他端側縁１０Ｄから谷状稜線１５に対して傾斜しており、最も低い部分が排水口１１に臨むように構成されている。
【００３１】
このように洗い場床パン１０を構成することで、第一傾斜面１３及び第二傾斜面１４に矩形の汎用タイルを貼着した場合には、略正方形を成すタイル４０を主として貼着し、排水口１１近傍では略長方形を成すタイル４１を貼着することで、隙間なく且つ谷状稜線１５に乗り上げることなくタイル４０，４１を敷き詰めることが可能となっている。このようにタイル４０，４１を敷き詰めると、図１に示すような水勾配ＷＦが形成される。この水勾配ＷＦは、排水口１１に向うように形成されている。なお、タイル４０とタイル４０との間や、タイル４０とタイル４１との間には、セメント（目地）５０が充填されている。
【００３２】
続いて図２を参照しながら、洗い場床パン１０の構成部材である床パン部材１０ｐについて説明する。床パン部材１０ｐは、その上面に接着剤層を介してタイル４０，４１を貼着するものとなる部材である。図２は、床パン部材１０ｐの斜視図である。図２に示すように、床パン部材１０ｐは、ベース床パンＢＰ上に調整層ＭＬを備えることで形成されている。
【００３３】
調整層ＭＬは、タイル４０，４１を貼着するための第一傾斜面１３ｐ及び第二傾斜面１４ｐを有している。第一傾斜面１３ｐと第二傾斜面１４ｐとが互いに接する部分には谷線となる谷状稜線１５ｐが形成されている。谷状稜線１５ｐは、出入口側縁１０Ｂｐの略中央から出入口側縁１０Ｂｐに対して略垂直に延出し、排水口１１が形成される開口部１１ｐに向うように形成されている。第一傾斜面１３ｐは、一端側縁１０Ｃｐから谷状稜線１５ｐに対して傾斜しており、最も低い部分が開口部１１ｐに臨むように構成されている。第二傾斜面１４ｐは、他端側縁１０Ｄｐから谷状稜線１５ｐに対して傾斜しており、最も低い部分が開口部１１ｐに臨むように構成されている。尚、開口部１１ｐは、第一傾斜面１３ｐ及び第二傾斜面１４ｐよりも一段低くなっている凹部１２ｐに形成されており、浴槽側縁１０Ａｐの中程に形成されている。
【００３４】
第一傾斜面１３ｐは、ベース床パンＢＰの第一谷状稜線２０を跨ぐように形成され、第二傾斜面１４ｐは、ベース床パンＢＰの第二谷状稜線２１を跨ぐように形成されている。
【００３５】
続いて図３を参照しながら、床パン部材１０ｐの構成部材であるベース床パンＢＰについて説明する。ベース床パンＢＰは、その上面に調整層ＭＬが形成されることで床パン部材１０ｐとなる部材である。図３は、ベース床パンＢＰの斜視図である。
【００３６】
ベース床パンＢＰは、第一傾斜面２２と、第二傾斜面２３と、第三傾斜面２４とを有している。第一傾斜面２２は、出入口側縁１０Ｂｂの両端及び開口部１１ｐを頂点とする略三角形状を有すると共に、出入口側縁１０Ｂｂから浴槽側縁１０Ａｂに向けた水勾配を有する。第二傾斜面２３は、一端側縁１０Ｃｂの両端及び開口部１１ｂを頂点とする略三角形状を有すると共に、一端側縁１０Ｃｂから他端側縁１０Ｄｂに向けた水勾配を有する。第三傾斜面２４は、他端側縁１０Ｄの両端及び排水口１１を頂点とする略三角形状を有すると共に、他端側縁１０Ｄから一端側縁１０Ｃに向けた水勾配を有する。第一傾斜面２２、第二傾斜面２３、及び第三傾斜面２４は、異なった水勾配を各々有するため、第一傾斜面２２と第二傾斜面２３との境界部分には第一谷状稜線２０が形成され、第一傾斜面２２と第三傾斜面２４との境界部分には谷状稜線２１が形成されている。
【００３７】
本実施形態では、バリアフリータイプの浴室ユニットに用いられる洗い場床パンをベース床パンとして用いているので、出入口側縁１０Ｂｂ、一端側縁１０Ｃｂ及び他端側縁１０Ｄｂのどの位置であっても扉を配設できるようにするため、出入口側縁１０Ｂｂ、一端側縁１０Ｃｂ及び他端側縁１０Ｄｂの高さは同一となっている。
【００３８】
図４にベース床パンＢＰの平面図を示す。図４に示すように、第一傾斜面２２には出入口側縁１０Ｂｂから浴槽側縁１０Ａｂに向けた水勾配ＷＦが形成され、第二傾斜面２３には一端側縁１０Ｃｂから他端側縁１０Ｄｂに向けた水勾配ＷＦが形成され、第三傾斜面２４には他端側縁１０Ｄから一端側縁１０Ｃに向けた水勾配ＷＦが形成されている。
【００３９】
調整層ＭＬは、図４に示す第一傾斜面２２、第二傾斜面２３、第三傾斜面２４及びそれらによって形成される第一谷状稜線２０，第二谷状稜線２１を、図１に示す第一傾斜面１３、第二傾斜面１４及びそれらによって形成される谷状稜線１５に変換するものである。
【００４０】
続いて、図５及び図６を参照しながら調整層ＭＬの形成方法の一例について説明する。図５及び図６を参照しながら説明する調整層ＭＬの形成方法は、調整層ＭＬの少なくとも一部を互いに形状の異なる複数の平面状部材ＭＬ１，ＭＬ２を重ね合わせる方法である。
【００４１】
図５に示すように、ベース床パンＢＰの第一谷状稜線２０，第二谷状稜線２１に跨るように平面状部材ＭＬ１を配置する。平面状部材ＭＬ１は、ベース床パンＢＰの第一谷状稜線２０を跨いで第一傾斜面２２及び第二傾斜面２３の一部を覆うように配置され、ベース床パンＢＰの第二谷状稜線２１を跨いで第一傾斜面２２及び第三傾斜面２４の一部を覆うように配置されている。平面状部材ＭＬ１は、開口部１１ｐを囲繞するように形成されており、そのように開口部１１ｐを囲繞する部分から第一谷状稜線２０，第二谷状稜線２１それぞれに沿って、ベース床パンＢＰの角部に向ってその幅が徐々に狭まるように形成されている。
【００４２】
続いて、図６に示すように、平面状部材ＭＬ１の上に、ベース床パンＢＰの第一谷状稜線２０，第二谷状稜線２１に跨るように平面状部材ＭＬ２を配置する。平面状部材ＭＬ２は、ベース床パンＢＰの第一谷状稜線２０を跨いで第一傾斜面２２及び第二傾斜面２３の一部を覆うように配置され、ベース床パンＢＰの第二谷状稜線２１を跨いで第一傾斜面２２及び第三傾斜面２４の一部を覆うように配置されている。更に平面状部材ＭＬ２は、平面状部材ＭＬ１よりも一回り大きい面積となるように形成されている。平面状部材ＭＬ２は、第一谷状稜線２０，第二谷状稜線２１に沿う部分において平面状部材ＭＬ１よりも外側にその外周が位置するように形成されている。このように平面状部材ＭＬ２を形成し、平面状部材ＭＬ１の上に積層することで、平面状部材ＭＬ１の外周において形成される段差を覆って、より滑らかな面を形成することができる。平面状部材ＭＬ２は、平面状部材ＭＬ１と同様に、開口部１１ｐを囲繞するように形成されており、そのように開口部１１ｐを囲繞する部分から第一谷状稜線２０，第二谷状稜線２１それぞれに沿って、ベース床パンＢＰの角部に向ってその幅が徐々に狭まるように形成されている。
【００４３】
続いて、上述した平面状部材ＭＬ１，ＭＬ２の配置と同様に、更に大きな面積の平面状部材を積層する。最後に、最上層にはベース床パンＢＰを全て覆う大きさの平面状部材を積層し、調整層ＭＬを形成する。
【００４４】
平面状部材ＭＬ１，ＭＬ２は、接着剤等を用いてベース床パンＢＰに貼り付け、また互いに接着剤によって貼り付けられてもよい。また、平面状部材ＭＬ１，ＭＬ２を繊維状材料によって形成し、樹脂材料を含浸硬化させることで互いに張り合わせるようにすることも好ましい。また、平面状部材ＭＬ１をより樹脂が含浸しやすい不織布材料によって形成し、平面状部材ＭＬ２をガラス繊維材料によって形成することも好ましい。このように構成することで、平面状部材同士をより強固に接着することができる。また、平面状部材ＭＬ１，ＭＬ２を不織布材料やガラス繊維材料といった容易に切断可能な易切断性を有する材料とすることで、ベース床パンＢＰの形態が様々に異なったとしても容易に対応することができる。
【００４５】
図５及び図６を参照しながら説明した調整層ＭＬの形成方法は、平面状部材を積層するものであったけれども、調整層ＭＬの形成方法はこれに限られるものではない。図７を参照しながら、調整層ＭＬの別の形成方法について説明する。
【００４６】
図７に示すように、ベース床パンＢＰと、上面プレート３０と、側面プレート３１，３２，３３，３４，３５，３６とを準備する。上面プレート３０は、ベース床パンＢＰの第一傾斜面２２、第二傾斜面２３、及び第三傾斜面２４上に配置される。側面プレート３１は、ベース床パンＢＰの出入口側縁１０Ｂｂに沿って取り付けられ、その上辺は上面プレート３０の対応する辺と当接する。側面プレート３２は、ベース床パンＢＰの一端側縁１０Ｃｂに沿って取り付けられ、その上辺は上面プレート３０の対応する辺と当接する。側面プレート３３，３４は、ベース床パンＢＰの浴槽側縁１０Ａｂに沿って取り付けられ、その上辺は上面プレート３０の対応する辺と当接する。側面プレート３４は、ベース床パンＢＰの開口部１１ｐを囲むように取り付けられ、その上辺は上面プレート３０の対応する辺と当接する。側面プレート３６は、ベース床パンＢＰの他端側縁１０Ｄｂに沿って取り付けられ、その上辺は上面プレート３０の対応する辺と当接する。
【００４７】
上述したように、ベース床パンＢＰに対して、上面プレート３０、及び側面プレート３１，３２，３３，３４，３５，３６を配置すると、ベース床パンＢＰと上面プレート３０と側面プレート３１，３２，３３，３４，３５，３６とによって形成される内部空間の形状が、調整層ＭＬの形状となるように形成されている。上面プレート３０には、注入口３０１，３０１，３０１，３０１，３０１，３０１，３０１，３０１，３０１，３０１が設けられており、これら注入口３０１から樹脂を流し込んで硬化させる。注入口３０１から流し込んだ樹脂が硬化した後、ベース床パンＢＰから上面プレート３０、及び側面プレート３１，３２，３３，３４，３５，３６を取り外し、図２に示すような調整層ＭＬを有する床パン部材１０ｐを得ることができる。尚、ベース床パンＢＰと上面プレート３０と側面プレート３１，３２，３３，３４，３５，３６とによって形成される内部空間に繊維状材料からなる平面状部材を配置し、その上で注入口３０１から樹脂を注入して硬化させることも好ましい。
【００４８】
尚、本実施形態では、図３に示すような三面勾配のベース床パンＢＰを用いたけれども、ベース床パンの形態はこれに限られるものではない。本発明の趣旨に鑑みれば、このようないわゆる三面勾配のものに限られず、例えば、開口部が設けられている一辺以外の三辺それぞれと、開口部が設けられている一辺の開口部を挟んだ両側から開口部に向って傾斜する傾斜面が形成されていると共に、この五面の傾斜面が互いに接することで四本の谷状稜線が形成される五面勾配のものも好適にベース床パンとして活用することができる。
【符号の説明】
【００４９】
１：洗い場床
２：浴槽
１０：洗い場床パン
１０Ａ：浴槽側縁
１０Ｂ：出入口側縁
１０Ｃ：一端側縁
１０Ｄ：他端側縁
１１：排水口
１５：谷状稜線
４０：タイル
５０：セメント
１０Ａｂ：浴槽側縁
１０Ａｐ：浴槽側縁
１０Ｂｂ：出入口側縁
１０Ｂｐ：出入口側縁
１０Ｃｂ：一端側縁
１０Ｃｐ：一端側縁
１０Ｄｂ：他端側縁
１０Ｄｐ：他端側縁
１０ｐ：床パン部材
１１ｂ：開口部
１１ｐ：開口部
１２ｐ：凹部
１３：第一傾斜面
１３ｐ：第一傾斜面
１４：第二傾斜面
１４ｐ：第二傾斜面
１５：谷状稜線
１５ｐ：谷状稜線
２０：第一谷状稜線
２１：第二谷状稜線
２２：第一傾斜面
２３：第二傾斜面
２４：第三傾斜面
３０：上面プレート
３１，３２，３３，３４，３５，３６：側面プレート
３０１：注入口
ＢＰ：ベース床パン
ＭＬ：調整層
ＭＬ１，ＭＬ２：平面状部材
ＵＢ：浴室ユニット
ＷＦ：水勾配
【図１】
2011094369.tif 000003
【図２】
2011094369.tif 000004
【図３】
2011094369.tif 000005
【図４】
2011094369.tif 000006
【図５】
2011094369.tif 000007
【図６】
2011094369.tif 000008
【図７】
2011094369.tif 000009